(57)【要約】【課題】  端末の改造に要する作業時間及び修正ミスを削減し、端末の改造の効率化を図ることができる監視制御システムを提供することにある。【解決手段】  各端末１３に実装された入出力用基板１３０の入出力動作に応じて、監視制御処理を実行する監視制御システムにおいて、端末１３の入出力用基板１３０ａの追加又は削除する変更時に、サーバ１０は、各端末１３の基板実装状態を示す情報を格納した基板実装データベース１１０を自動的に更新する構成である。【選択図】      図１
2010009451.tif 000002
【特許請求の範囲】
【請求項１】
ネットワークに接続し、監視対象から情報を収集して送信するための入出力用基板を実装している端末と、
各端末毎の入出力用基板の実装状態を示す情報を格納している基板実装データベース手段と、
前記端末に実装された入出力用基板による入出力動作に基づいた監視制御処理、及び前記端末の入出力用基板の実装状態の変更に応じて前記基板実装データベース手段の情報を更新する処理を実行するサーバと
を具備したことを特徴とする監視制御システム。
【請求項２】
各端末の入出力用基板と、前記サーバから監視制御処理の処理結果を示す監視情報とを対応付けた割付情報を格納する情報割付データベース手段を有し、
前記サーバは、前記端末の入出力用基板の実装状態の変更に応じて前記情報割付データベース手段の割付情報を更新することを特徴とする請求項１に記載の監視制御システム。
【請求項３】
前記サーバから監視情報を受信して、当該監視情報と割り付けられた監視画面を表示する手段を含む中央局が設定されており、
前記中央局は、前記サーバから送信された前記情報割付データベース手段の割付情報に基づいて、監視情報と監視画面の割り付け情報を変更する手段を含むことを特徴とする請求項２に記載の監視制御システム。
【請求項４】
前記サーバは、ネットワークを介して接続された端末の起動に応じて、前記基板実装データベース手段を参照し、当該端末の入出力用基板の実装状態を示す情報を当該端末に送信する手段を含み、
前記端末は、前記サーバから受信した入出力用基板の実装状態を示す情報に基づいて、実装された入出力用基板による入出力動作を実行するように構成されていることを特徴とする請求項１から請求項３のいずれか１項に記載の監視制御システム。
【請求項５】
前記サーバは、前記端末から送信された入出力用基板の実装状態を示す情報と前記基板実装データベース手段の情報とを比較して前記端末の入出力用基板の実装状態の変更を判定し、この判定結果による変更に応じて前記基板実装データベース手段の情報を更新するように構成されていることを特徴とする請求項１に記載の監視制御システム。
【請求項６】
前記端末の入出力用基板の実装状態を示す情報と監視画面とを割り付けて表示する手段を含む中央局が設定されており、
前記中央局は、前記サーバから送信された前記基板実装データベース手段の更新情報に基づいて、前記監視画面との割り付けを変更する手段を含むことを特徴とする請求項５に記載の監視制御システム。
【請求項７】
前記サーバは、前記中央局から送信された前記入出力用基板の実装状態を示す情報と監視画面とを割り付けた割付結果を受信すると、当該割付結果に基づいて前記情報割付データベース手段の割付情報を更新することを特徴とする請求項６に記載の監視制御システム。
【請求項８】
前記端末の入出力用基板の実装状態を示す情報と監視画面とを割り付けた監視画面情報を格納する監視画面情報データベース手段を有し、
前記サーバは、要求に応じて前記中央局から受信した前記監視画面情報を前記監視画面情報データベース手段に格納し、前記監視画面情報データベース手段に格納された前記監視画面情報と前記基板実装データベース手段の更新情報とを割り付けるように構成されていることを特徴とする請求項５に記載の監視制御システム。
【請求項９】
記サーバは、前記割付結果に基づいて前記情報割付データベース手段の割付情報を更新するように構成されていることを特徴とする請求項８に記載の監視制御システム。
【請求項１０】
ネットワークに接続し、監視対象から情報を収集して送信するための入出力用基板を実装している端末と、各端末毎の入出力用基板の実装状態を示す情報を格納している基板実装データベース手段と、前記端末に実装された入出力用基板による入出力動作に基づいた監視制御処理を実行するサーバとを有する監視制御システムに適用する改造方法であって、
前記サーバは、前記端末の入出力用基板の実装状態の変更に応じて前記基板実装データベース手段の情報を更新する処理を実行することを特徴とする改造方法。
【発明の詳細な説明】
【技術分野】
【０００１】
本発明は、遠隔地に配置されている設備などを監視する監視制御システムにおいて、特に、端末を改造するための技術に関する。
【背景技術】
【０００２】
近年、遠隔地に配置されている施設の設備や機器を監視・制御する監視制御システムが普及している（例えば、特許文献１を参照）。代表的なシステムとして、例えば道路におけるインターチェンジやトンネルなどの設備を遠隔から監視・制御する監視制御システムがある。
【０００３】
監視制御システムは概略的には、監視対象である施設に配置されるリモートステーション（以下、ＲＳと表記する場合がある）と呼ぶ端末と、複数の端末を管理するサーバと、サーバからの情報に基づいて遠隔の施設の各設備を監視する施設中央局とから構成されている。
【特許文献１】特開２００２−１５７１７８号公報
【発明の開示】
【発明が解決しようとする課題】
【０００４】
監視制御システムでは、各端末（ＲＳ）は、監視対象である施設や設備などに対する監視項目に対応する情報の入出力動作を行なうための複数の入出力用基板（Ｉ／Ｏ基板と表記する場合がある）を実装している。サーバは、全端末（ＲＳ）のＩ／Ｏ基板と、施設中央局への伝送情報との割り付けを格納する情報割付データベースを使用して、Ｉ／Ｏ基板の入出力動作に応じた情報を施設中央局に伝送する。施設中央局では、サーバからの伝送情報と監視画面との割り付けを行なうなどの処理が実行される。
【０００５】
ここで、端末（ＲＳ）に対してＩ／Ｏ基板を追加または削除する改造を行なう場合がある。このような端末の改造では、各端末（ＲＳ）に含まれている基板実装データベースの情報を更新する必要がある。従来では、Ｉ／Ｏ基板の追加または削除の改造時に、作業者が基板実装状態の変更に伴う変更用情報を作成し、変更用情報のインストールして、該当する端末の基板実装データベースを更新する作業が行なわれている。
【０００６】
しかしながら、そのような端末の改造作業は、変更用情報を作成するなどの作業には多大な作業時間を要し、かつ変更用情報の作成ミス（即ち、基板実装データベースの修正ミス）が発生しやすい。
【０００７】
そこで、本発明の目的は、端末の改造に要する作業時間及び修正ミスを削減し、端末の改造の効率化を図ることができる監視制御システムを提供することにある。
【課題を解決するための手段】
【０００８】
本発明の観点は、端末の入出力用基板の追加又は削除時に、サーバにより、各端末の基板実装状態を示す情報を格納した基板実装データベースを自動的に更新する機能を有する監視制御システムである。
【０００９】
本発明の観点に従った監視制御システムは、ネットワークに接続し、監視対象から情報を収集して送信するための入出力用基板を実装している端末と、各端末毎の入出力用基板の実装状態を示す情報を格納している基板実装データベース手段と、前記端末に実装された入出力用基板による入出力動作に基づいた監視制御処理、及び前記端末の入出力用基板の実装状態の変更に応じて前記基板実装データベース手段の情報を更新する処理を実行するサーバとを備えた構成である。
【発明の効果】
【００１０】
本発明によれば、端末の入出力用基板の追加又は削除に伴う端末の改造時に、改造に要する作業時間及び修正ミスを削減できるようにして、端末の改造の効率化を図ることができる監視制御システムを提供することができる。
【発明を実施するための最良の形態】
【００１１】
以下図面を参照して、本発明の各実施形態を説明する。
【００１２】
［システムの構成］
図１は、各実施形態に関する監視制御システムの要部を示すブロック図である。
【００１３】
本システムは、例えば道路におけるインターチェンジやトンネルなどの施設に設けられた設備や機器の監視・制御を行なうための遠隔監視制御システムであり、監視対象である施設に配置される複数（ｎ個）のリモートステーション（端末又はＲＳと表記する場合がある）１３と、サーバ１０と、ＩＰネットワーク１１と、施設中央局１２とから構成されている。
【００１４】
各端末（ＲＳ）１３はそれぞれ、施設の管理事務所などから遠方にある施設に配置されて、施設の電源設備や照明設備の動作状態や故障を監視する。各端末１３は、設備や機器からの監視信号（例えばリレーなどの接点信号）を入力して、動作状態や故障検出を示す監視データ（情報と表記する場合がある）に変換する。各端末１３は、監視データをＩＰネットワーク１１を介してサーバ１０に伝送するデータ入出力用インターフェースに相当する装置である。各端末１３は、図１に示すように、通常では複数の入出力用基板（Ｉ／Ｏ基板）１３０が交換可能に実装されている。各Ｉ／Ｏ基板１３０は、後述する情報割付データベース（情報割付ＤＢ）１００の情報に関係し、監視項目に対応するアドレスを割り当てられている。
【００１５】
サーバ１０は、施設の保守管理を行なう管理事務所などに設置されており、ＩＰネットワーク１１を介して各端末１３と接続し、各端末１３を一括管理するインテリジェントサーバ（以下、ＩＧサーバと表記する場合がある）である。ＩＧサーバ１０は、情報割付ＤＢ１００、基板実装データベース（基板実装ＤＢ）１１０、及び後述する各処理をＣＰＵで実行するためのプログラム１２０を含む。
【００１６】
情報割付ＤＢ１００は、全端末（ＲＳ）１３のＩ／Ｏ基板１３０（のアドレス）と、施設中央局１２に伝送する伝送情報とを割り付けた情報を格納するデータベースである。伝送情報とは、サーバ１０による監視項目毎の監視制御の処理結果を示す監視情報である。伝送情報は、Ｉ／Ｏ基板１３０のアドレスと対応付けされており、また後述するように、施設中央局１２の監視画面と対応付けられる。
【００１７】
基板実装ＤＢ１１０は、全端末（ＲＳ）１３のＩ／Ｏ基板１３０の実装状態を示す情報を格納するデータベースである。即ち、サーバ１０は、基板実装ＤＢ１１０を参照することにより、システムに接続された各端末１３のＩ／Ｏ基板１３０の実装状態（追加又は削除されたＩ／Ｏ基板を含む）を確認できる。
【００１８】
サーバ１０は、各端末１３から伝送された監視データ（情報）を処理し、監視対象である施設の設備や機器の監視・制御に必要な監視情報を生成し、ＩＰネットワーク１１を介して施設中央局１２に伝送する。具体的には、サーバ１０は、各端末１３のＩ／Ｏ基板１３０による入出力動作に応じて、Ｉ／Ｏ基板１３０のアドレスに対応する監視項目の監視データを処理し、例えばトンネルの停電などの故障を検知したときのその旨を示す監視情報をＩＰネットワーク１１を介して施設中央局１２に伝送する。
【００１９】
サーバ１０は、端末１３との接続時に当該端末１３の基板実装状態を示す情報を、当該端末１３に送信する機能を有する。これにより、端末１３は、サーバ１０から受信した基板実装状態を示す情報に基づいて、実装されたＩ／Ｏ基板１３０による入出力動作を実行する。
【００２０】
施設中央局１２は、サーバ１０から伝送された伝送情報（処理結果を示す監視情報）に基づいて、監視対象である施設に設置された設備や機器の動作状態や故障発生を監視する。即ち、監視制御システムは、ＩＰネットワーク１１を介して、各端末１３とサーバ１０間、及びサーバ１０と施設中央局１２間で情報を交換することにより、遠隔の道路関係の施設を監視している。
【００２１】
［第１の実施形態］
以下、図１と共に図２から図４を参照して、第１の実施形態のシステムの動作を説明する。
【００２２】
（Ｉ／Ｏ基板の追加実装時の動作）
図２に示すように、例えばＲＳ３の端末１３にＩ／Ｏ基板を追加実装する場合、追加実装されたＩ／Ｏ基板を追加基板１３０ａと表記する。また、改造とは、Ｉ／Ｏ基板の追加実装と、既設のＩ／Ｏ基板の削除を含む。本実施形態は、Ｉ／Ｏ基板の追加実装の場合について説明するが、当然ながら、既設のＩ／Ｏ基板の削除の場合にも適用できる。
【００２３】
図２に示すように、例えばＲＳ３の端末１３にＩ／Ｏ基板を追加実装すると、サーバ１０は、基板実装ＤＢ１１０に追加基板１３０ａのアドレスを追加登録し、ＲＳ１〜ＲＳ３の各端末１３において、Ｉ／Ｏ基板１３０の実装状態を示す情報を更新する改造処理を行なう。次に、サーバ１０は、情報割付ＤＢ１００に、追加基板１３０ａのアドレスと施設中央局１２に伝送する伝送情報（監視情報）とを割り付ける設定を行なうように情報を更新する。
【００２４】
施設中央局１２は、サーバ１０から伝送される情報割付ＤＢ１００の更新情報に基づいて、サーバ１０からの伝送情報（処理結果を示す監視情報）と監視画面との割り付け状態を変更する。
【００２５】
（システムの運用）
次に、図３及び図４のフローチャートを参照して、端末１３にＩ／Ｏ基板を追加実装した場合のシステムの運用を説明する。
【００２６】
まず、Ｉ／Ｏ基板（追加基板）１３０ａを追加実装したＲＳ３の端末１３に電源を投入して、端末１３を起動する（ステップＳ１）。端末１３は起動すると、ＩＰネットワーク１１を介してサーバ１０に接続する。
【００２７】
サーバ１０は、基板実装ＤＢ１１０を参照し、当該ＲＳ３の端末１３に対応するＩ／Ｏ基板１３０の実装状態（追加基板１３０ａを含む）を示す情報（２００）を、当該端末１３に送信する（ステップＳ２）。ここで、前述したように、基板実装ＤＢ１１０には、ＲＳ３の端末１３に対して追加基板１３０ａが追加実装されている状態が登録されている。
【００２８】
端末１３は、サーバ１０から受信した基板実装状態に基づいて、追加基板１３０ａを含むＩ／Ｏ基板１３０による入出力動作を実行し、入出力情報（監視データ２１０）をサーバ１０に送信する（ステップＳ３）。
【００２９】
サーバ１０は、端末１３から例えば追加基板１３０ａの入出力動作による情報を受信すると、情報割付ＤＢ１００を参照し、追加基板１３０ａに対応する監視項目の監視情報（伝送情報２２０）を生成して、施設中央局１２に伝送する（ステップＳ４）。
【００３０】
以上のように本実施形態によれば、端末１３の基板実装状態の変更（即ち、Ｉ／Ｏ基板の追加又は削除）に応じて、作業者による改造作業を要することなく、自動的に基板実装ＤＢ１１０の情報を更新できる。これにより、サーバ１０は、基板実装ＤＢ１１０を参照し、接続された端末１３に対して当該基板実装状態を示す情報を送信することで、当該端末１３に追加基板１３０ａによる入出力動作も可能にすることができる。即ち、各端末１３は、基板実装状態を認識する機能を要することなく、基板実装状態に応じた入出力動作を実行できる。
【００３１】
［第２の実施形態］
次に、図５から図８を参照して、第２の実施形態を説明する。なお、システムの構成は、図１に示すものと同様であるため、詳細な説明を省略する。
【００３２】
本実施形態は、端末１３の基板実装状態の変更（即ち、Ｉ／Ｏ基板の追加又は削除）時に、端末１３が基板実装状態を示す情報をサーバ１０に送信する機能を有する構成である。以下、具体的に説明する。
【００３３】
まず、図５に示すように、ＲＳ３の端末１３は起動時に、追加基板１３０ａを含むＩ／Ｏ基板の実装状態を示す情報（３００）を、ＩＰネットワーク１１を介してサーバ１０に送信する（ステップＳ１１）。サーバ１０は、基板実装ＤＢ１１０を参照し、端末１３から受信した情報（３００）と基板実装ＤＢ１１０の基板実装状態とを比較し、基板実装状態の変更（ここでは追加実装）を判定する（ステップＳ１２，Ｓ１３）。
【００３４】
サーバ１０は、端末１３の基板実装状態の変更（追加基板１３０ａの追加）に基づいて、基板実装ＤＢ１１０の基板実装状態を示す情報（３１０）を更新する（ステップＳ１３のＹＥＳ，Ｓ１４）。サーバ１０は、端末１３の基板実装状態の変更（追加基板１３０ａの追加）を含む基板実装ＤＢ１１０の更新情報（３２０）を、ＩＰネットワーク１１を介して施設中央局１２に送信する（ステップＳ１５）。
【００３５】
施設中央局１２は、サーバ１０から基板実装状態の変更を含む更新情報（３２０）を受信すると、当該基板実装状態と監視画面との割り付けを更新し、当該画面を表示装置に表示する（ステップＳ１６）。
【００３６】
次に、図７を参照して、端末１３の基板実装状態の変更に伴うサーバ１０の情報割付ＤＢ１００の更新処理を説明する。
【００３７】
図７に示すように、施設中央局１２は、サーバ１０からの更新情報（３２０）に基づいて基板実装状態と監視画面とを割り付けを更新した割付結果（４００）を、ＩＰネットワーク１１を介してサーバ１０に送信する。サーバ１０は、施設中央局１２から受信した割付結果（４００）に基づいて情報割付ＤＢ１００を更新する（４１０）。即ち、サーバ１０は、追加基板１３０ａのアドレスと施設中央局１２に伝送する監視情報（即ち、監視画面）とを割り付けた情報を情報割付ＤＢ１００に登録する。
【００３８】
次に、図８を参照して、本実施形態におけるシステムの運用を説明する。
【００３９】
端末１３は、追加基板１３０ａを含むＩ／Ｏ基板１３０による入出力動作を実行し、入出力情報（監視データ５００）をサーバ１０に送信する。サーバ１０は、端末１３から例えば追加基板１３０ａの入出力動作による情報（５００）を受信すると、情報割付ＤＢ１００を参照し、追加基板１３０ａに対応する監視項目の監視情報（伝送情報５１０）を施設中央局１２に伝送する。施設中央局１２は、追加基板１３０ａに対応する監視項目の監視画面を表示する。
【００４０】
以上のように本実施形態によれば、端末１３の基板実装状態の変更（即ち、Ｉ／Ｏ基板の追加又は削除）に応じて、作業者による改造作業を要することなく、自動的に基板実装ＤＢ１１０の情報を更新できる。サーバ１０は、基板実装ＤＢ１１０の更新情報を施設中央局１２に送信することにより、施設中央局１２からの割付結果に基づいて基板実装状態の変更に伴う情報割付ＤＢ１００を更新することができる。従って、端末１３の追加基板１３０ａによる入出力動作に応じて、サーバ１０は、監視制御処理を実行することができる。
【００４１】
［第３の実施形態］
次に、図９から図１１を参照して、第３の実施形態を説明する。なお、システムの構成は、図１に示すものと同様であるため、詳細な説明を省略する。
【００４２】
本実施形態は、端末１３の基板実装状態の変更（即ち、Ｉ／Ｏ基板の追加又は削除）時に、施設中央局１２において基板実装状態と監視画面との割り付けを自動的に行なう構成である。以下、具体的に説明する。
【００４３】
まず、図９に示すように、ＲＳ３の端末１３は起動時に、追加基板１３０ａを含むＩ／Ｏ基板の実装状態を示す情報（３００）を、ＩＰネットワーク１１を介してサーバ１０に送信する（ステップＳ２１）。サーバ１０は、基板実装ＤＢ１１０を参照し、端末１３から受信した情報（３００）と基板実装ＤＢ１１０の基板実装状態とを比較し、基板実装状態の変更（ここでは追加実装）を判定する（ステップＳ２２，Ｓ２３）。
【００４４】
サーバ１０は、端末１３の基板実装状態の変更（追加基板１３０ａの追加）に基づいて、基板実装ＤＢ１１０の基板実装状態を示す情報（３１０）を更新する（ステップＳ２３のＹＥＳ，Ｓ２４）。サーバ１０は、端末１３の基板実装状態の変更（追加基板１３０ａの追加）を含む基板実装ＤＢ１１０の更新情報（３２０）を、ＩＰネットワーク１１を介して施設中央局１２に送信する（ステップＳ２５）。
【００４５】
施設中央局１２は、サーバ１０から基板実装状態の変更を含む更新情報（３２０）を受信すると、当該基板実装状態と監視画面との割り付けを自動的に更新し、当該画面を表示装置に表示する（ステップＳ２６）。施設中央局１２は、サーバ１０からの更新情報（３２０）に基づいて基板実装状態と監視画面とを割り付けを更新した割付結果（３３０）を、ＩＰネットワーク１１を介してサーバ１０に送信する（ステップＳ２７）。
【００４６】
サーバ１０は、施設中央局１２から受信した割付結果（４００）に基づいて情報割付ＤＢ１００を更新する（３４０）。即ち、サーバ１０は、追加基板１３０ａのアドレスと施設中央局１２に伝送する監視情報（即ち、監視画面）とを割り付けた情報を情報割付ＤＢ１００に登録する（ステップＳ２８）。
【００４７】
次に、図１１を参照して、本実施形態におけるシステムの運用を説明する。
【００４８】
端末１３は、追加基板１３０ａを含むＩ／Ｏ基板１３０による入出力動作を実行し、入出力情報（監視データ５００）をサーバ１０に送信する。サーバ１０は、端末１３から例えば追加基板１３０ａの入出力動作による情報（５００）を受信すると、情報割付ＤＢ１００を参照し、追加基板１３０ａに対応する監視項目の監視情報（伝送情報５１０）を施設中央局１２に伝送する。施設中央局１２は、追加基板１３０ａに対応する監視項目の監視画面を表示する。
【００４９】
以上のように本実施形態によれば、施設中央局１２は、サーバ１０から基板実装状態の変更を含む更新情報を受信すると、当該基板実装状態と監視画面とを割り付けを自動的に更新し、当該画面を表示装置に表示する。従って、端末１３の基板実装状態の変更（即ち、Ｉ／Ｏ基板の追加又は削除）に応じて、作業者による改造作業を要することなく、施設中央局での基板実装状態と監視画面との割り付けを更新する自動的に行なうことができる。
【００５０】
［第４の実施形態］
次に、図１２から図１４を参照して、第４の実施形態を説明する。なお、システムの構成は、図１に示すものと同様であるため、詳細な説明を省略する。
【００５１】
本実施形態は、端末１３の基板実装状態の変更（即ち、Ｉ／Ｏ基板の追加又は削除）時に、サーバ１０において基板実装状態と監視画面との割り付けを自動的に行なう構成である。以下、具体的に説明する。
【００５２】
まず、図１２に示すように、サーバ１０は、ＩＰネットワーク１１を介して施設中央局１２に接続すると、監視画面情報の送信を要求する（６００）。施設中央局１２は、サーバ１０からの要求に応じて、監視画面情報を返送する（６１０）。サーバ１０は、施設中央局１２から受信した監視画面情報を、監視画面データベース（監視画面ＤＢ）１４０に保存する。
【００５３】
次に、図１３に示すように、ＲＳ３の端末１３は起動時に、追加基板１３０ａを含むＩ／Ｏ基板の実装状態を示す情報（３００）を、ＩＰネットワーク１１を介してサーバ１０に送信する。サーバ１０は、基板実装ＤＢ１１０を参照し（３１０）、端末１３から受信した情報（３００）と基板実装ＤＢ１１０の基板実装状態とを比較し、基板実装状態の変更（ここでは追加実装）を判定する。
【００５４】
サーバ１０は、端末１３の基板実装状態の変更（追加基板１３０ａの追加）に基づいて、基板実装ＤＢ１１０の基板実装状態を示す情報を更新する。次に、サーバ１０は、監視画面ＤＢ１４０を参照し、変更を含む基板実装状態と監視画面との割り付けを自動的に実行する。サーバ１０は、当該割付結果を情報割付ＤＢ１００に登録する（３５０）。これにより、情報割付ＤＢ１００には、追加基板１３０ａのアドレスと施設中央局１２での監視画面（監視情報）とを割り付けた情報が格納される。
【００５５】
次に、図１４を参照して、本実施形態におけるシステムの運用を説明する。
【００５６】
端末１３は、追加基板１３０ａを含むＩ／Ｏ基板１３０による入出力動作を実行し、入出力情報（監視データ５００）をサーバ１０に送信する。サーバ１０は、端末１３から例えば追加基板１３０ａの入出力動作による情報（５００）を受信すると、情報割付ＤＢ１００を参照し、追加基板１３０ａに対応する監視項目の監視情報（伝送情報５１０）を施設中央局１２に伝送する。即ち、サーバ１０は、追加基板１３０ａに対応する監視画面を含む監視情報（５１０）を施設中央局１２に送信する。
【００５７】
以上のように本実施形態によれば、施設中央局１２で実行されている追加基板と監視画面との割り付けを、サーバ１０により実行できる。従って、施設中央局１２において、図１０に示すステップＳ２５〜Ｓ２７の各処理を省略することができる。従って、端末１３に追加基板１３０ａを追加してからシステムの運用までに要する処理時間を大幅に短縮することができる。
【００５８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５９】
【図１】本発明の各実施形態に関する監視制御システムの要部を示すブロック図。
【図２】第１の実施形態に関する入出力用基板の追加実装時のシステムの動作を説明するための図。
【図３】第１の実施形態に関する入出力用基板の追加実装後のシステムの動作を説明するための図。
【図４】第１の実施形態に関するシステムの動作を説明するためのフローチャート。
【図５】第２の実施形態に関する入出力用基板の追加実装時のシステムの動作を説明するための図。
【図６】第２の実施形態に関するシステムの動作を説明するためのフローチャート。
【図７】第２の実施形態に関する入出力用基板の追加実装後のシステムの動作を説明するための図。
【図８】第２の実施形態に関する入出力用基板の追加実装後のシステムの動作を説明するための図。
【図９】第３の実施形態に関する入出力用基板の追加実装時のシステムの動作を説明するための図。
【図１０】第３の実施形態に関するシステムの動作を説明するためのフローチャート。
【図１１】第３の実施形態に関するシステムの動作を説明するための図。
【図１２】第４の実施形態に関するサーバの動作を説明するための図。
【図１３】第４の実施形態に関する入出力用基板の追加実装後のシステムの動作を説明するための図。
【図１４】第４の実施形態に関するシステムの動作を説明するための図。
【符号の説明】
【００６０】
１０…ＩＧサーバ、１１…ＩＰネットワーク、１２…施設中央局、
１３…リモートステーション（端末又はＲＳ）、
１００…情報割付データベース（情報割付ＤＢ）、
１１０…基板実装データベース（基板実装ＤＢ）、１２０…プログラム、
１３０…入出力用基板、１３０ａ…追加基板、
１４０…監視画面データベース（監視画面ＤＢ）。
【図１】
2010009451.tif 000003
【図２】
2010009451.tif 000004
【図３】
2010009451.tif 000005
【図４】
2010009451.tif 000006
【図５】
2010009451.tif 000007
【図６】
2010009451.tif 000008
【図７】
2010009451.tif 000009
【図８】
2010009451.tif 000010
【図９】
2010009451.tif 000011
【図１０】
2010009451.tif 000012
【図１１】
2010009451.tif 000013
【図１２】
2010009451.tif 000014
【図１３】
2010009451.tif 000015
【図１４】
2010009451.tif 000016